(57)【要約】【課題】  複数枚のディスクが重ねられた状態で筐体内部に挿入されたときに、ローラ軸の回転そのものを止めることで、ディスクの筐体内部への搬入を迅速に阻止できる「ディスク装置」を提供することを目的とする。【解決手段】  二枚重ねのディスクが挿入されると、搬送ローラ１１２と挟持部材１０６との間隔Ｈ１が広げられ、ローラ軸１１１とともに回転規制ギヤ１５０が押し下げられ、回転規制ギヤ１５０と規制レバー１５５の規制凸部１５７とが嵌合し、ローラ軸１１１の回転が止められる。よって、二枚重ねのディスクが筐体内に搬入されることを防止できる。なお、回転規制ギヤ１５０がα２方向へ回転するときは、規制レバー１５５と嵌合しないため、二枚重ねのディスクを搬出することができる。【選択図】図２
2009076114.tif 000002
【特許請求の範囲】
【請求項１】
筐体の挿入口の内側に設けられて前記挿入口に挿入されたディスクを挟持する搬送ローラおよび挟持部材とを有し、前記搬送ローラは、前記挟持部材から離れる方向へ移動できるように支持されているとともに、前記搬送ローラを前記挟持部材に向けて弾圧する弾圧部材が設けられたディスク装置において、
前記搬送ローラと前記挟持部材との間隔が、一枚のディスクを搬送するときの寸法よりも大きくなったときに、前記搬送ローラを支持しているローラ軸の少なくともディスク搬入方向への回転を規制する回転規制部材が設けられていることを特徴とするディスク装置。
【請求項２】
前記搬送ローラと前記挟持部材との間隔が、二枚のディスクを重ねて搬送できる寸法よりも小さく且つ一枚のディスクを搬送するときの寸法よりも大きくなったときに、前記回転規制部材で前記ローラ軸の少なくともディスク搬入方向の回転が規制される請求項１記載のディスク装置。
【請求項３】
前記ローラ軸に歯車が設けられており、前記搬送ローラと前記ローラ軸とが前記挟持部材から離れる位置へ移動したときに、前記回転規制部材が前記歯車に噛み合って、前記ローラ軸の回転が規制される請求項１または２記載のディスク装置。
【請求項４】
搬送モータの動力が前記ローラ軸に伝達されて、前記搬送ローラがディスク搬入方向へ駆動されているときに、前記回転規制部材によって前記ローラ軸の回転が強制的に規制される請求項１ないし３のいずれかに記載のディスク装置。
【請求項５】
前記搬送モータが始動した後の所定時間以内に、ディスクが所定位置まで搬入できなかったと判断したときに、前記搬送モータが停止させられる請求項４記載のディスク装置。
【請求項６】
搬送モータの動力によりローラ軸がディスク搬出方向へ駆動されているときには、前記回転規制部材によって前記ローラ軸の回転が規制されない請求項１または２記載のディスク装置。
【請求項７】
前記ローラ軸に歯車が設けられており、前記ローラ軸がディスク搬入方向へ回転しているときに、前記搬送ローラと前記ローラ軸とが前記挟持部材から離れる位置へ移動すると、前記回転規制部材が前記歯車に噛み合って前記ローラ軸の回転が規制され、前記ローラ軸がディスク搬出方向へ回転しているときは、前記回転規制部材と前記歯車とが嵌合することなく前記ローラ軸の回転が可能である請求項６記載のディスク装置。
【発明の詳細な説明】
【技術分野】
【０００１】
本発明は、ディスクが筐体の挿入口から挿入されて、搬送ローラと挟持部材とで挟持され、搬送ローラの回転力で筐体内へ搬入されるディスク装置に関する。
【背景技術】
【０００２】
筐体にスリット状に開口する挿入口からディスクを一枚ずつ挿入するいわゆるスロットイン方式のディスク装置は、筐体の内部において挿入口の内側に搬送ローラと挟持部材が設けられている。挿入口から挿入されたディスクは、搬送ローラと挟持部材とで挟持され、搬送ローラの回転力で筐体の内部に搬入される。
【０００３】
通常のディスク装置は、挿入口から挿入されたディスクは、筐体の内部に設けられたターンテーブルに一枚だけ装着されるものである。また、筐体の内部に複数枚のディスクを収納することができるディスク装置では、挿入口から挿入されたディスクが、ディスク収納部へ一枚ずつ供給されて保持される。
【０００４】
この種のディスク装置において、挿入口からディスクが一枚ずつ挿入され、誤って二枚が重ねられて挿入されないようにするために、通常は搬送ローラと挟持部材との間隔が二枚のディスクを挟持できる寸法まで広がらないように規制されている。しかし、搬送ローラを支持しているローラ軸は細長いために、２枚のディスクを重ねて搬送ローラと挟持部材との間に強引に挿入すると、ローラ軸が撓んで、二枚のディスクが搬送ローラと挟持部材との間に入り込んでしまう。このとき、ローラ軸に搬送モータから回転力が作用しているため、二枚重ねのディスクが筐体の内部に強引に引き込まれて、機構が故障することがある。
【０００５】
そこで、以下の特許文献１には、挿入口から挿入されたディスクの厚みを識別できるディスク装置が開示されている。このディスク装置では、筐体内にディスクが挿入されたときに、そのディスクによって回動させられるレバー部材と、このレバー部材で動作させられる検知スイッチが設けられている。複数枚のディスクが、その厚さ方向に重ねられた状態で装置内部に挿入されると、レバー部材が通常以上の角度で回動して検知スイッチが動作させられる。このとき、制御部では、複数枚のディスクが重ねられて挿入されたことを認識する。そして、搬送ローラが停止し、逆転して複数枚のディスクが筐体の外へ搬出される。
【特許文献１】特開２００６−１９６１２８号公報
【発明の開示】
【発明が解決しようとする課題】
【０００６】
特許文献１のディスク装置では、装置内に複数枚のディスクが挿入されたときに、検知スイッチが動作して搬送ローラが停止し、さらには搬送ローラが搬出方向へ逆転するというものである。しかし、検知スイッチが動作する前に、または動作直後に、複数枚重ねられたディスクが筐体内に強引に押し込まれると、ディスクとの摩擦で搬送ローラが回転する。その結果、モータの動力が断たれるまでの間に、あるいは断たれた直後に、ディスクが筐体の奥深くまで押し込まれることがある。その後に、モータが逆転し、搬送ローラでディスクを搬出しようとしても、既に奥に押し込まれた複数枚のディスクが、筐体内の機構に噛み込まれてしまい、ディスクを搬出できない故障状態に陥るおそれがある。
【０００７】
つまり、特許文献１に記載のディスク装置は、複数枚のディスクが重ねて挿入されたことは検知できるが、その時点で搬送ローラが自由な状態であるため、前記のようにディスクが強引に押し込まれるなどの異常な操作を完全に食い止めることはできない。
【０００８】
本発明は上記従来の課題を解決するものであり、複数枚のディスクが重ねられた状態で筐体内部に挿入されたときに、ローラ軸の回転そのものを止めることで、ディスクの筐体内部への搬入を迅速に阻止できるディスク装置を提供することを目的としている。
【課題を解決するための手段】
【０００９】
本発明は、筐体の挿入口の内側に設けられて前記挿入口に挿入されたディスクを挟持する搬送ローラおよび挟持部材とを有し、前記搬送ローラは、前記挟持部材から離れる方向へ移動できるように支持されているとともに、前記搬送ローラを前記挟持部材に向けて弾圧する弾圧部材が設けられたディスク装置において、
前記搬送ローラと前記挟持部材との間隔が、一枚のディスクを搬送するときの寸法よりも大きくなったときに、前記搬送ローラを支持しているローラ軸の少なくともディスク搬入方向への回転を規制する回転規制部材が設けられていることを特徴とするものである。
【００１０】
例えば、本発明は、前記搬送ローラと前記挟持部材との間隔が、二枚のディスクを重ねて搬送できる寸法よりも小さく且つ一枚のディスクを搬送するときの寸法よりも大きくなったときに、前記回転規制部材で前記ローラ軸の少なくともディスク搬入方向の回転が規制される。
【００１１】
本発明のディスク装置では、搬送ローラと挟持部材との間隔が、通常の一枚のディスクの厚み寸法よりも大きな寸法に拡大したときに、ローラ軸が回転できないように規制する。そのため、異常な厚みのディスクや二枚重ねのディスクを挿入口から強引に挿入しようとしても抵抗力が大きくなり、ディスクが誤って筐体の奥深くに挿入されることを防止できる。
【００１２】
なお、挟持部材は、ディスクが摺動できるよう小さな摩擦係数の樹脂材料で形成されたシューまたはパッドである。あるいは、挟持部材がローラ軸と搬送ローラを有して自由に回転できるものであってもよい。
【００１３】
本発明は、前記ローラ軸に歯車が設けられており、前記搬送ローラと前記ローラ軸とが前記挟持部材から離れる位置へ移動したときに、前記回転規制部材が前記歯車に噛み合って、前記ローラ軸の回転が規制されるものとして構成できる。
【００１４】
本発明は、搬送モータの動力が前記ローラ軸に伝達されて、前記搬送ローラがディスク搬入方向へ駆動されているときに、前記回転規制部材によって前記ローラ軸の回転が強制的に規制されるものである。
【００１５】
ただし、前記搬送モータが始動した後の所定時間以内に、ディスクが所定位置まで搬入できなかったと判断したときに、前記搬送モータが停止させられるものであることが好ましい。
【００１６】
このように、本発明では、搬送モータによってローラ軸がディスク搬入方向へ駆動されているときに、ローラ軸が挟持部材から離れる位置へ移動すると、回転規制部材によりローラ軸が強制的に停止させられる。よって、搬送モータが停止するまでの間も、ローラ軸が回転せず、ディスクが筐体内に強制的に押し込まれることを有効に防止できる。
【００１７】
また、本発明は、搬送モータの動力によりローラ軸がディスク搬出方向へ駆動されているときには、前記回転規制部材によって前記ローラ軸の回転が規制されないものが好ましい。
【００１８】
例えば、前記ローラ軸に歯車が設けられており、前記ローラ軸がディスク搬入方向へ回転しているときに、前記搬送ローラと前記ローラ軸とが前記挟持部材から離れる位置へ移動すると、前記回転規制部材が前記歯車に噛み合って前記ローラ軸の回転が規制され、前記ローラ軸がディスク搬出方向へ回転しているときは、前記回転規制部材と前記歯車とが嵌合することなく前記ローラ軸の回転が可能である。
【００１９】
本発明では、例えば二枚重ねのディスクが挿入されて、回転規制部材でローラ軸の回転が規制された後に、搬送モータを逆転したときに、ローラ軸をディスク搬出方向へ回転させることができる。よって、二枚重ねなどのディスクを筐体外へ排出することができる。
【発明の効果】
【００２０】
本発明のディスク装置では、異常に厚いディスクや二枚重ねのディスクなどが挿入されたときに、ローラ軸の回転が規制されることで、ディスクが筐体の内部に強引に押し込まれることを防止できる。よって、ディスクが筐体の奥深くに押し込まれて故障状態となることを防止しやすい。
【発明を実施するための最良の形態】
【００２１】
図１は本発明の実施の形態のディスク装置の全体構造を示す平面図、図２はディスク装置に設けられた移送ユニットを示す部分斜視図、図３は、移送ユニットの歯車を除去した状態を示す部分斜視図、図４と図５は動作を示す移送ユニットの側面図である。
【００２２】
図１に示すディスク装置１は直方体形状の筐体２を有している。筐体２の前面３には、Ｘ１−Ｘ２方向に延びるスリット状の挿入口が開口している。そして、挿入口の内側には、ディスクＤを搬送する移送ユニット１７が設けられている。移送ユニット１７は搬送モータＭによって駆動される。
【００２３】
筐体２の前面３と移送ユニット１７との間には、ディスク検知機構１１が設けられている。ディスク検知機構１１には、４箇所の光学検知器１１ａ，１１ｂ，１１ｃ，１１ｄが設けられている。これらの光学検知器では、挿入口から挿入されるディスクＤを挟んで一方に発光素子が他方に受光素子が向けられている。ディスクＤが挿入されていないときは、発光素子から発せられる光が受光素子で検知される。挿入口から挿入されるディスクＤで前記光が遮られると、受光素子が光を検知しない状態になる。このとき、光学検知器がディスクＤを検知したと認識する。
【００２４】
光学検知器１１ａ，１１ｂ，１１ｃ，１１ｄのいずれかにより、ディスクＤが挿入口から挿入されたことが検知される。また、光学検知器１１ａ，１１ｂ，１１ｃ，１１ｄの検知出力の組み合わせにより、挿入口から挿入されたディスクＤが正常な直径寸法であるかが検知される。
【００２５】
筐体２の内部では、ほぼその中心線Ｏ−Ｏの位置に回転駆動部３０が設けられている。回転駆動部３０には、スピンドルモータの回転軸３１と、回転軸３１に固定されたターンテーブル３２とが設けられている。また、ターンテーブル３２にディスクＤの中心穴Ｄａをクランプするクランプ機構が設けられている。
【００２６】
筐体２の内部には、移送ユニット１７によって移送されるディスクＤの中心穴Ｄａがターンテーブル３２にクランプできる位置まで搬入されたことを検知する装填検知機構３５が設けられている。装填検知機構３５は、ターンテーブル３２にクランプできる位置まで搬入されたディスクＤによって動作させられる。
【００２７】
筐体２内にはヘッドユニット４０が設けられている。ヘッドユニット４０には一対のガイド部４１，４１が設けられ、光ヘッド４２がガイド部４１，４１に案内されて移動可能に設けられている。光ヘッド４２には対物レンズ４３が設けられており、光ヘッド４２が移動すると、対物レンズ４３は、ターンテーブル３２に保持されたディスクＤの半径方向に沿って移動する。また、ヘッドユニット４０には、光ヘッド４２を移動させるスレッド機構が設けられている。
【００２８】
光学検知器１１ａ，１１ｂ，１１ｃ，１１ｄの検知出力は検出部１２により検知される。検出部１２の出力は制御部２０に与えられる。また、装填検知機構３５からの検知出力も制御部２０に与えられる。そして、搬送モータＭは制御部２０によって制御される。
【００２９】
ディスクＤは、直径が１２ｃｍであり、例えばＣＤ（コンパクト・ディスク）、ＣＤ−ＲＯＭ、ＤＶＤ（ディジタル・バーサタイル・ディスク）などである。
【００３０】
ディスク装置１は、筐体２の前面３に開口する挿入口から一枚ずつ挿入されたディスクＤが移送ユニット１７で搬入されて回転駆動部３０に装填され、ヘッドユニット４０で、ディスクＤに記録された情報の再生や、ディスクＤへの情報の記録が行なわれる。ただし、本発明のディスク装置としては、移送ユニット１７で一枚ずつ搬入されたディスクＤが、回転駆動部３０で保持された後に、筐体２内に設けられたディスク収納部に受け渡されて複数枚が保持されるものであって、その後、ディスク収納部内のディスクが選択されて回転駆動部３０に装填されるディスク選択式のものであってもよい。
【００３１】
図２と図３に示すように、移送ユニット１７は、Ｘ１−Ｘ２方向へ向けて細長く延びる金属製のユニット枠１００を有している。ユニット枠１００は、上面１０１と下面１０２およびＸ２側の側面１０３とＸ１側の側面１０４を有し、ユニット枠１００の内部はＹ１−Ｙ２方向に貫通している。
【００３２】
ユニット枠１００の内部には、低摩擦係数の合成樹脂で形成された挟持部材１０６が設けられている。挟持部材１０６は、ユニット枠１００の上面１０１の内面に固定されている。
【００３３】
図１にも示すように、ユニット枠１００内にはローラ軸１１１が設けられている。ローラ軸１１１は、ユニット枠１００の上面１０１と平行に延び、その両端は、Ｘ２側の側面１０３とＸ１側の側面１０４に回動自在に支持されている。図３に示すように、ユニット枠１００の側面１０３には移動溝１０３ａが軸１４５を中心とする円弧軌跡に沿って形成されており、ローラ軸１１１のＸ２側の端部は移動溝１０３ａ内を上下方向に摺動自在に支持されている。ユニット枠１００のＸ１側の側面１０４にも、移動溝１０３ａと同じ形状の移動溝が形成されており、ローラ軸１１１のＸ１側の端部がその移動溝に摺動自在に支持されている。
【００３４】
図１に示すように、ローラ軸１１１の外周には、合成ゴムや天然ゴムなどの摩擦係数の高い材料で形成された第１の搬送ローラ１１２と第２の搬送ローラ１１３が設けられている。第１の搬送ローラ１１２と第２の搬送ローラ１１３は軸方向に間隔を空けて配置されている。図１に示すように、第１の搬送ローラ１１２と第２の搬送ローラ１１３は、筐体２の前面３とほぼ平行で、筐体２の中心線Ｏ−Ｏから左右に等距離離れた位置に配置されている。
【００３５】
第１の搬送ローラ１１２と第２の搬送ローラ１１３は、中心線Ｏ−Ｏに近い側の直径寸法が小さく、Ｘ１方向とＸ２方向へ向かうに従って直径が徐々に大きくなるテーパ形状である。ローラ軸１１１は、図示しないコイルばねなどの弾圧部材によって図示上方へ付勢されており、ディスクＤが移送ユニット１７内に存在していないときは、前記弾圧部材の付勢力によって、第１の搬送ローラ１１２および第２の移動ローラ１１３が、合成樹脂製の挟持部材１０６に弾圧されている。
【００３６】
挿入口から挿入されたディスクＤが移送ユニット１７内に挿入されると、そのディスクＤは、前記弾圧部材の弾圧力により、搬送ローラ１１２，１１３と挟持部材１０６との間で挟持される。
【００３７】
第１の搬送ローラ１１２と第２の搬送ローラ１１３は、共にローラ軸１１１の周囲に回転自在に装着されている。第１の搬送ローラ１１２とローラ軸１１１との間の摩擦力、および第２の搬送ローラ１１３とローラ軸１１１との摩擦力は大きく、例えば、ローラ軸１１１が搬送モータＭで駆動されているときに、第１の搬送ローラ１１２と第２の搬送ローラ１１３に過大な負荷が作用したときに、ローラ軸１１１がスリップできるようになっている。
【００３８】
図２と図３に示すように、ローラ軸１１１の一端は、ユニット枠１００のＸ２側の側面１０３から外方へ突出しており、側面１０３から突出したローラ軸１１１の端部に動力伝達用の平歯車であるローラ歯車１４４が固定されている。側面１０３には軸１４５が固定され、軸１４５に一体ギヤ１４６が回転自在に支持されている。一体ギヤ１４６は、小径平歯車１４６ａと大径平歯車１４６ｂとが一体化されたものであり、小径平歯車１４６ａがローラ歯車１４４と噛み合っている。搬送モータＭからの動力は、一体ギヤ１４６の大径平歯車１４６ｂに作用し、その回転力が、小径平歯車１４６ａからローラ歯車１４４に伝達され、ローラ軸１１１が回転駆動される。
【００３９】
図３に示すように、ローラ軸１１１が摺動する移動溝１０３ａは、軸１４５を中心とする円弧軌跡に沿って形成されているため、ローラ軸１１１が移動溝１０３ａ内で移動するときに、小径平歯車１４６ａとローラ歯車１４４との噛み合いは継続している。
【００４０】
図２と図３に示すように、ローラ軸１１１のＸ２側の端部には、ローラ歯車１４４の外側に回転規制ギヤ１５０が固定されている。回転規制ギヤ１５０はローラ軸１１１に固定されており、回転規制ギヤ１５０とローラ歯車１４４およびローラ軸１１１は一体に回転する。
【００４１】
ユニット枠１００のＸ２側の側面１０３の下方には支持部１５３が設けられ、支持部１５３に、Ｘ１方向に突出する軸１５４が設けられている。軸１５４には、規制部材として機能する規制レバー１５５がβ１−β２方向に回動自在に支持されている。
【００４２】
規制レバー１５５は、軸１５４に回転自在に支持される腕部１５６と、腕部１５６の先部でほぼ直角に曲げられた規制凸部１５７を有している。規制凸部１５７は先細形状であり、回転規制ギヤ１５０の隣り合う歯部１５１の中間の谷部１５２に入り込むことができる形状である。
【００４３】
図示しない付勢ばねによって、規制レバー１５５はβ１方向に常に付勢されている。支持部１５３にはＸ２方向へ突出するストッパ１５８が設けられており、腕部１５６がストッパ１５８に当たった時点で、規制レバー１５５のβ１方向への回動が規制されている。
【００４４】
図４に示すように、回転規制ギヤ１５０の外周に設けられた歯部１５１は、回転方向へ向けて非対称な形状である。歯部１５１のα１方向に向く側面は規制面１５１ａであり、規制面１５１ａは、回転規制ギヤ１５０の半径方向に延びる平面である。歯部１５１のα２方向に向く側面は解除面１５１ｂであり、解除面１５１ｂは、歯先に向かうにしたがって、回転規制ギヤ１５０の半径方向に対してα１方向へ傾く形状である。
【００４５】
規制レバー１５５の規制凸部１５７は、回転規制ギヤ１５０の歯部１５１の規制面１５１ａに嵌合可能な平面形状の規制側面１５７ａを有している。図４に示すように、規制レバー１５５がストッパ１５８に当たっているとき、規制側面１５７ａは、回転規制ギヤ１５０の規制面１５１ａとほぼ平行である。規制凸部１５７の他方の側面は解除側面１５７ｂであり、解除側面１５７ｂは、解除面１５１ｂと同じ向きに傾く傾斜面である。
【００４６】
次に、ディスク装置１の動作を説明する。
移送ユニット１７にディスクＤが挿入されていないときは、ローラ軸１１１は図３において実線で示すように弾圧部材で上方向へ付勢されており、第１の移送ローラ１１２のＸ２側の大径の端部、および第２の移送ローラ１１３のＸ１側の大径の端部が挟持部材１０６に弾圧されている。
【００４７】
また、規制レバー１５５は付勢ばねによってβ１方向に付勢されて、腕部１５６がストッパ１５８に当接している。このとき、回転規制ギヤ１５０の歯部１５１の先端と、規制レバー１５５の規制凸部１５７の先端部とは離れており、回転規制ギヤ１５０が規制レバー１５５によって規制されることなく、ローラ軸１１１が自由に回転できる。
【００４８】
ディスクＤが挿入口から挿入され、図１に示す光学検知器１１ａ，１１ｂ，１１ｃ，１１ｄのいずれかでディスクＤが検知されると、搬送モータＭが始動する。その回転動力は、図２に示す一体ギヤ１４６の大径平歯車１４６ｂに与えられ、さらに小径平歯車１４６ａからローラ歯車１４４に伝達されて、ローラ軸１１１が、ディスク搬入方向であるα１方向へ回転駆動される。また、ディスクＤの挿入が検知され、搬送モータＭが始動するのと同時にタイマが時間を計測する。
【００４９】
挿入口から挿入されたディスクＤは、移送ユニット１７のユニット枠１００内において、搬送ローラ１１２，１１３と挟持部材１０６との間に挟まれる。そして、ローラ軸１１１の回転力が搬送ローラ１１２，１１３からディスクＤに伝達されて、ディスクＤが筐体２の内部に向けて搬入される。ディスクＤが搬入されるにしたがって、搬送ローラ１１２，１１３と挟持部材１０６との間に挟まれているディスクＤの幅寸法が徐々に広くなり、これにつれて、搬送ローラ１１２，１１３と挟持部材１０６との間隔Ｈ１が徐々に広がっていく。そして、ディスクＤの中心が搬送ローラ１１２，１１３と挟持部材１０６との間に至ったときに、搬送ローラ１１２，１１３と挟持部材１０６とで挟まれるディスクＤの幅寸法が最大になり、前記間隔Ｈ１も最大になる。
【００５０】
移送ユニット１７内に位置するディスクＤが、正常な厚み（規格内の厚み）のものであって、且つ一枚のみである場合は、前記間隔Ｈ１が最大になって、ローラ軸１１１がＺ１方向へ下降しても、回転規制ギヤ１５０と規制凸部１５７とが離れており、回転規制ギヤ１５０が規制凸部１５７で規制されることはなく、ローラ軸１１１はα１方向へ継続して回転駆動され、ディスクＤが筐体２の内部に搬入される。
【００５１】
次に、挿入口から正常な厚みのディスクＤが２枚重ねられて挿入され、２枚のディスクＤが搬送ローラ１１２，１１３と挟持部材１０６とで挟まれたときも、ローラ軸１１１の回転力によって、２枚のディスクＤに筐体２内へ向けての搬送力が作用する。
【００５２】
２枚のディスクＤが筐体２の内部に搬入されていくのにしたがって、搬送ローラ１１２，１１３と挟持部材１０６との間隔Ｈ１が徐々に広げられていく。そして、前記間隔Ｈ１が、正常な一枚のディスクＤが搬入されているときの間隔Ｈ１の最大値よりも大きくなると、図４に示すように、ローラ軸１１１と共に下降した回転規制ギヤ１５０の谷部１５２に、規制レバー１５５の規制凸部１５７が入り込む。このとき、α１方向への動力が与えられている回転規制ギヤ１５０の歯部１５１から、規制レバー１５５に対してβ１方向へのモーメントが与えられるため、規制レバー１５５がストッパ１５８に押し付けられて、回転規制ギヤ１５０と共にローラ軸１１１が強制的に止められる。
【００５３】
また、図４に示すように、回転規制ギヤ１５０の歯部１５１の規制面１５１ａが、規制凸部１５７の規制側面１５７ａに当接するために、歯部１５１と規制凸部１５７とがスリップすることもなく、規制凸部１５７によって、回転規制ギヤ１５０が完全に止められる。
【００５４】
回転規制ギヤ１５０の歯部１５１と規制凸部１５７とが噛み合うタイミングと、搬送ローラ１１２，１１３と挟持部材１０６との間隔Ｈ１との関係は次のように決められる。すなわち、中心が互いに一致するように完全に重ねられた２枚のディスクＤのその中心が、搬送ローラ１１２，１１３と挟持部材１０６との間に移動して、前記間隔Ｈ１が２枚のディスクで最大とされるよりも前の時点で、回転規制ギヤ１５０の歯部１５１と規制凸部１５７とが噛み合うようにする。よって、正常な厚さ寸法の１枚のディスクＤの場合は、その中心が搬送ローラ１１２，１１３と挟持部１０６との間に移動しても、歯部１５１と規制凸部１５７とが当たることはないが、ディスクＤが２枚重ねられて挿入された場合は、２枚重ねのディスクＤの中心が、搬送ローラ１１２，１１３と挟持部材１０６の間に至るまでの間に、歯部１５１と規制凸部１５７とが完全に噛み合って、ローラ軸１１１のα１方向への回転が止められる。
【００５５】
よって、２枚重ねのディスク、あるいは正常なディスクＤよりも厚みが極端に大きいディスクＤが搬入されることを阻止でき、しかもディスクＤの半分が移送ユニット１７を超えて筐体２の内部に移行する前に、ローラ軸１１１を止めることができる。
【００５６】
ローラ軸１１１が止められているときに、ディスクＤを強引に押し込もうとしても、ローラ軸１１１はディスクＤに圧接されており、このときの搬送ローラ１１２，１１３とローラ軸１１１との摩擦力が非常に大きくなっているため、ディスクＤを強引に押し込むことは困難である。
【００５７】
図１に示す制御部２０は、搬送モータＭが始動したときにタイマでの時間計測を開始しているが、この計測時間が所定時間となるまでに、装填検知機構３５がディスク検知状態にならないときに、搬送モータＭを停止する。よって、回転規制ギヤ１５０の歯部１５１と規制凸部１５７とが噛み合ったまま、搬送モータＭの駆動が長時間にわたって継続することはない。
【００５８】
また、搬送モータＭが始動した後の所定時間以内に装填検知機構３５がディスクＤを検知できないとき、制御部２０は、搬送モータＭを停止させた直後に、搬送モータＭを逆転させる。
【００５９】
搬送モータＭの逆転方向の動力は、一体ギヤ１４６からローラ歯車１４４に伝達され、ローラ軸１１１がディスク搬出方向であるα２方向へ駆動される。図５に示すように、回転規制ギヤ１５０のα２方向への回転力は、規制レバー１５５にβ２方向のモーメントを与える。β２方向へモーメントを受ける規制レバー１５５は回転規制ギヤ１５０から外れる向きに回動する。
【００６０】
さらに、α２方向へ回転する回転規制ギヤ１５０の傾斜している解除面１５１ｂが、規制レバー１５５の規制凸部１５７の同じく傾斜している解除側面１５７ｂを摺動するため、規制レバー１５５はβ２方向へ回動しやすくなる。
【００６１】
ローラ軸１１１が搬出方向であるα２方向へ回動するときに、規制レバー１５５の規制凸部１５７は、回転規制ギヤ１５０の歯部１５１に順番に当たるが、規制凸部１５７と歯部１５１とが完全に噛み合うことはなく、搬送ローラ１１２，１１３がディスク搬出方向に回転し、ディスクが挿入口から搬出される。
【００６２】
このように、２枚重ねのディスクや、厚み寸法が規格よりも大きいディスクＤが挿入されると、その半分以上が移送ユニット１７を超えることはなく、直ちに搬出される。よって、これらディスクが筐体内の機構に挟み込まれて搬出不能になるなどの故障を避けることができる。
【００６３】
なお、上記の実施の形態では、搬送ローラ１１２，１１３とでディスクを挟持する挟持部材１０９が合成樹脂のパッドであるが、この挟持部材１０９が軸の位置が動くことのないローラであってもよい。
【００６４】
また、回転規制ギヤ１５０と規制レバー１５５は、搬送モータＭからローラ軸１１１までの動力伝達経路のいずれかに設けられていればよい。
【図面の簡単な説明】
【００６５】
【図１】本発明の実施の形態のディスク装置の全体構造を示す平面図、
【図２】移送ユニットの一部を示す部分斜視図、
【図３】移送ユニットを歯車を取り外して示す部分斜視図、
【図４】ローラ軸が規制されている状態を示す側面図、
【図５】ローラ軸がディスク搬出方向へ駆動されている状態を示す側面図、
【符号の説明】
【００６６】
１  ディスク装置
２  筐体
１１  ディスク検知機構
１７  移送ユニット
３０  回転駆動部
３５  装填検知機構
４０  ヘッドユニット
１１１  ローラ軸
１１２  第１の搬送ローラ
１１３  第２の搬送ローラ
１５０  回転規制ギヤ
１５１  歯部
１５１ａ  規制面
１５１ｂ  解除面
１５２  谷部
１５５  規制レバー
１５７  規制凸部
１５７ａ  規制側面
１５７ｂ  解除側面
１５８  ストッパ
【図１】
2009076114.tif 000003
【図２】
2009076114.tif 000004
【図３】
2009076114.tif 000005
【図４】
2009076114.tif 000006
【図５】
2009076114.tif 000007